(57)【要約】【課題】  少ない送風機の数で、送風機の故障時にも可用性を維持することができる吸排気ユニットを実現する。【解決手段】  吸気口と排気口のそれぞれに少なくとも１つの吸排気ユニットを備える吸排気装置に用いられる吸排気ユニットは、転倒を指示する信号に応じて取付枠を転倒させる転倒手段を有する送風機と、前記送風機の異常を検知すると異常を通知する信号を発信する異常検知手段と、前記異常を通知する信号を受信すると前記転倒手段に転倒を指示する信号を発信する制御部とを備える。【選択図】      図１７
2018011002.tif 000002
【特許請求の範囲】
【請求項１】
吸気口と排気口のそれぞれに少なくとも１つの吸排気ユニットを備える吸排気装置に用いられる吸排気ユニットは、
転倒を指示する信号に応じて取付枠を転倒させる転倒手段を有する送風機と、
前記送風機の異常を検知すると異常を通知する信号を発信する異常検知手段と、
前記異常を通知する信号を受信すると前記転倒手段に転倒を指示する信号を発信する制御部とを備えることを特徴とする吸排気ユニット。
【請求項２】
前記異常検知手段は、前記送風機に供給される電力の電圧または電流を監視するものであり、前記電圧または前記電流が一定値より低下すると異常と検知する異常検知手段であることを特徴とする請求項１に記載の吸排気ユニット。
【請求項３】
前記異常検知手段は、前記送風機に取り付けられた温度センサであり、前記送風機の温度が一定値以上になると、異常と検知する異常検知手段であることを特徴とする請求項１に記載の吸排気ユニット。
【請求項４】
前記異常検知手段は、前記吸排気装置内部に配置された温度センサであり、前記吸排気装置の内部温度が一定値以上になると、異常と検知する異常検知手段であることを特徴とする請求項１に記載の吸排気ユニット。
【請求項５】
前記異常検知手段は、前記送風機に直接、若しくは前記送風機の近傍に取り付けられた振動センサであり、前記振動センサが監視する振動が一定値以上になると、異常と検知する異常検知手段であることを特徴とする請求項１に記載の吸排気ユニット。
【請求項６】
請求項２乃至請求項５に記載される２つ以上の異常検知手段を備えることを特徴とする請求項１に記載の吸排気ユニット。
【請求項７】
前記転倒手段は、前記送風機に取付けられた転倒用のばねと、前記ばねの力に反して前記転倒を阻止するロックからなり、
前記ロックは前記転倒を指示する前記信号を受信するとロックが解除されることを特徴とする請求項１乃至請求項６に記載の吸排気ユニット。
【請求項８】
前記ロックは電磁石と磁性体とを備え、
前記転倒を指示する前記信号を受信しないと電磁石が通電して前記ばねの力より強い力で磁性体と引付けあい、
前記転倒を指示する前記信号を受信すると前記電磁石の通電を停止することを特徴とする請求項７に記載の吸排気ユニット。
【請求項９】
吸気口と排気口のそれぞれに少なくとも１つの吸排気ユニットを備える吸排気装置は、
転倒を指示する信号に応じて取付枠を転倒させる転倒手段を有する送風機と、
前記送風機の異常を検知すると異常を通知する信号を発信する異常検知手段と、
前記異常を通知する信号を受信すると前記転倒手段に転倒を指示する信号を発信する制御部とを有する吸排気ユニットを備えることを特徴とする吸排気装置。
【請求項１０】
吸気口と排気口のそれぞれに少なくとも１つの吸排気ユニットを備える吸排気装置の制御方法において、
前記吸排気ユニットが有する送風機の異常を検知すると、
前記送風機が取付けられる取付枠の転倒手段に転倒を指示する信号を発信することを特徴とする吸排気装置の制御方法。
【発明の詳細な説明】
【技術分野】
【０００１】
本発明は、吸排気ユニット、吸排気装置、および吸排気装置の制御方法に関するものである。
【背景技術】
【０００２】
サーバー等の電子機器の吸排気装置として、吸気口と排気口それぞれに送風機を取り付けるプッシュプル（push-pull）方式を用いるものがある。非特許文献１には、プッシュプル方式の吸排気装置の例が記載されている。
【０００３】
プッシュプル方式の吸排気装置は、正常動作では図９に示すように通気性が確保されている。尚、図９乃至図１３の図中の矢印は空気の流れを模式的に示している。
【０００４】
しかし、送風機の故障等の原因で送風機が停止した場合、図１０もしくは図１１のように送風機の取付部、および停止した動翼（羽根）自体が通気の妨げとなり、電子機器の内部の熱を外部へ排出することが出来なくなる。その結果、電子機器の内部の温度が急上昇して電子機器の温度保護装置が動作して、電子機器が運転停止してしまう場合がある。或いは、電子機器の内部の温度上昇により、電子機器の本体の故障を誘発する場合もある。
【０００５】
そこで、高可用性が要求される装置のなかには、送風機が停止したことを保守作業者に通知し、停止した送風機の交換を促す機能を有するものがある。
【０００６】
或いは、図１４のように複数の送風機を使用することで、送風機の稼働に冗長性を持たせて、送風機が１台故障しても温度上昇を防ぐ対策をとるなどの対策がなされているものもある。
【０００７】
尚、特許文献１および特許文献２では、送風機を用いた吸排気構造が示されている。
【先行技術文献】
【特許文献】
【０００８】
【特許文献１】特開２００２−００６９９３号公報
【特許文献２】特開昭５８−１１７９３６号公報
【非特許文献】
【０００９】
【非特許文献１】「コンパクトサーバ PRIMERGY TX120を実現する革新技術」雑誌ＦＵＪＩＴＳＵ  2007-9月号 (VOL.58, NO.5)  富士通株式会社http://www.fujitsu.com/downloads/JP/archive/imgjp/jmag/vol58-5/paper08.pdf
【発明の概要】
【発明が解決しようとする課題】
【００１０】
しかし、図１４のように複数の送風機を使用すると、送風機の故障時にも可用性を維持出来るが、送風機の数が多くなることで電子機器の形状が大きくなってしまう。
【００１１】
本発明の吸排気ユニット（unit）、吸排気装置、および吸排気装置の制御方法は、少ない送風機の数で、送風機の故障時にも可用性を維持することを目的とする。
【課題を解決するための手段】
【００１２】
上記の目的を達成するために、本発明の吸排気ユニットは、吸気口と排気口のそれぞれに少なくとも１つの吸排気ユニットを備える吸排気装置に用いられる吸排気ユニットであり、転倒を指示する信号に応じて取付枠を転倒させる転倒手段を有する送風機と、前記送風機の異常を検知すると異常を通知する信号を発信する異常検知手段と、前記異常を通知する信号を受信すると前記転倒手段に転倒を指示する信号を発信する制御部とを備える。
【００１３】
上記の目的を達成するために、本発明の吸排気装置は、吸気口と排気口のそれぞれに少なくとも１つの吸排気ユニットを備える吸排気装置であり、転倒を指示する信号に応じて取付枠を転倒させる転倒手段を有する送風機と、前記送風機の異常を検知すると異常を通知する信号を発信する異常検知手段と、前記異常を通知する信号を受信すると前記転倒手段に転倒を指示する信号を発信する制御部とを有する吸排気ユニットを備える。
【００１４】
上記の目的を達成するために、本発明の吸排気装置の制御方法は、吸気口と排気口のそれぞれに少なくとも１つの吸排気ユニットを備える吸排気装置の制御方法であり、前記吸排気ユニットが有する送風機の異常を検知すると、前記送風機が取付けられる取付枠の転倒手段に転倒を指示する信号を発信する。
【発明の効果】
【００１５】
本発明によれば、少ない送風機の数で、送風機の故障時にも可用性を維持する吸排気ユニット、吸排気装置、および吸排気装置の制御方法を実現する。
【図面の簡単な説明】
【００１６】
【図１】第１の実施形態の構成例を示す図である。
【図２】第１の実施形態の構成例を示す図である。
【図３】第１の実施形態の構成例を示す図である。
【図４】第１の実施形態の構成例を示す図である。
【図５】第１の実施形態の構成例を示す図である。
【図６】第１の実施形態の構成例を示す図である。
【図７】第１の実施形態の動作を示す図である。
【図８】第１の実施形態の動作を示す図である。
【図９】第１の実施形態の動作を示す図である。
【図１０】関連技術の動作を説明する図である。
【図１１】関連技術の動作を説明する図である。
【図１２】第１の実施形態の動作を示す図である。
【図１３】第１の実施形態の動作を示す図である。
【図１４】関連技術の構成例を示す図である。
【図１５】第２の実施形態の構成例を示す図である。
【図１６】第２の実施形態の動作を示す図である。
【図１７】第３の実施形態の構成例を示す図である。
【発明を実施するための形態】
【００１７】
［第１の実施形態］
次に、本発明の実施の形態について図面を参照して詳細に説明する。
［構成の説明］
図１乃至図６に第１の実施形態の構成を示す。
【００１８】
図１は、本実施形態の吸排気装置１０００の電気的な構成例である。
【００１９】
吸排気装置１０００は、可倒式送風機取付基盤１００、制御部２００、電源３１０、および電源スイッチ（switch）３１１によって構成される。また、吸排気装置１０００は外部電源４００に接続されている。吸排気装置１０００がサーバー等に用いられる場合、外部電源４００は、無停電電源であることが一般的である。
【００２０】
可倒式送風機取付基盤１００は、送風機取付部１０１、電磁石１０３、送風機取付部ロック（rock）１０８、および電源スイッチ回路１１３を備える。
【００２１】
可倒構造を有する送風機取付部１０１には、回転数センサ（sensor）１１２を有する送風機である送風機１１０が取り付けられている。回転数センサ１１２は、送風機１１０の回転数を監視して回転数の値を含む信号を制御部２００へ出力する手段である。
【００２２】
尚、回転数センサ１１２は、送風機１１０に付随していても、送風機１１０に外付けされていても良い。
【００２３】
電源スイッチ回路１１３は、外部電源４００に接続され、制御部２００の指示に従って送風機１１０と電磁石１０３の電源をオン、オフする。
【００２４】
送風機取付部ロック１０８は、送風機取付部１０１が倒れない様にロックする機構である。送風機取付部ロック１０８は小形のアクチュエータ（actuator）を備え、制御部２００はアクチュエータへの電源供給の有無を切換えることで、ロックと解除を切換える。構造的な説明は後述する。
【００２５】
制御部２００は、ＣＰＵ（Central Processing Unit；中央処理装置）を含む制御手段であり、外部電源４００に接続されている。
【００２６】
尚、可倒式送風機取付基盤１００と制御部２００の組み合わせを吸排気ユニットと称しても良い。
【００２７】
電源３１０は、外部電源４００の電力を電力変換して、電源スイッチ回路１１３と送風機取付部ロック１０８に電力を供給する電源である。
【００２８】
電源スイッチ３１１は制御部２００に接続されて、吸排気装置１０００の電源をオンオフするためのスイッチである。
【００２９】
次に、図２乃至図６を参照して構造的な構成例について説明する。
【００３０】
図２および図３は、可倒式送風機取付基盤１００の構造を示す図である。
【００３１】
可倒式送風機取付基盤１００は、ケーブル（cable）１０６を介して、制御部２００、および電源３１０に電気的に接続される。
【００３２】
可倒式送風機取付基盤１００は、送風機取付部１０１を有し、送風機取付部１０１には送風機１１０が取付けられている。そして、送風機１１０のケーブルは送風機ケーブルコネクタ（connector）１０７に接続されている。
【００３３】
また、送風機取付部１０１は、ばね１０２を介してベースプレート（base plate）１０９に取付けられ、ばね１０２の弾性力により、図４に示す様に倒れる構造となっている。
【００３４】
ここで、電磁石１０３に電源供給されていない状態では送風機取付部１０１が倒れないようにする必要がある。その為に、ベースプレート１０９と送風機取付部１０１との間に送風機取付部ロック１０８を設けている。そして、送風機取付部ロック１０８がロックしている時は、送風機取付部１０１がベースプレート１０９と接触した状態で固定される。送風機取付部ロック１０８のロック機構には、前述の様に可倒式送風機取付基盤１００に取り付けることが可能な小型のアクチュエータを使用し、アクチュエータに電源が供給されるとロックが解除される。
【００３５】
図５および図６ではアクチュエータとしてソレノイド（solenoid）１２４を使用した例を示している。ソレノイド１２４は、強磁性体である可動鉄芯１２０、固定鉄芯１２１、ばね１２２、コイル１２３を有する。そして、図５および図６において、ばね１２２の左端と固定鉄芯１２１、およびコイル１２３は、それぞれベースプレート１０９に対して動かない様に固定されている。図５に示す様に、ソレノイド１２４に電源が供給されていない状態では、可動鉄芯１２０は、ばね１２２が縮もうとする弾性力により固定鉄芯１２１から離れた場所に位置する。次に、ソレノイド１２４に電源が供給されると、コイル１２３に磁気が発生し、図６に示す様に可動鉄芯１２０は、ばね１２２の弾性力に抗して固定鉄芯１２１に吸着する。
【００３６】
この特性を利用して、送風機取付部ロック１０８は次の様に動作する。送風機取付部ロック１０８の有する図示せぬ電子回路が、制御部２００からロック解除の信号を受信すると、送風機取付部ロック１０８の前記図示せぬ電子回路はソレノイド１２４に外部電源４００から電源を供給する。そして、送風機取付部ロック１０８の爪が摺動する結果、送風機取付部ロックのロックが解除される。
【００３７】
また、送風機取付部１０１の対面には電磁石１０３を有した電磁石取付フレーム（frame）１０４が配置されている。そして、電磁石１０３に対向し、送風機取付部１０１と接触する部分には鉄などの磁性体１０５が配置されている。電磁石１０３が通電すると磁力を発生して、電磁石１０３と磁性体１０５が磁力によって引き合う。電磁石１０３と磁性体１０５が磁力によって引き合う力は、ばね１０２の弾性力によって送風機取付部１０１が倒れようとする力より強い。そのため、送風機取付部ロック１０８のロックが解除されていても、送風機取付部１０１は立った状態が維持される。
【００３８】
しかし、電磁石１０３への通電が停止すると、電磁石１０３が発生する磁力が失われるので、送風機取付部ロック１０８のロックが解除されていると、ばね１０２の弾性力により送風機取付部１０１が倒れる。
［動作の説明］
次に本実施形態の動作の説明を図１乃至図８、および図１０乃至図１３を参照して説明する。
【００３９】
図７および図８は、本実施形態の動作を示すフローチャートである。
【００４０】
はじめに、電源スイッチ３１１がオンに操作された場合の動作について、図７を参照して説明する。
【００４１】
電磁石１０３に電力が供給されていない状態では、送風機取付部ロック１０８がロック状態であり、送風機取付部１０１は立った状態で固定されている。
【００４２】
はじめに、電源スイッチ３１１がオンに操作される（Ｓ１０１）。
【００４３】
すると、制御部２００は、電源スイッチ回路１１３に送風機１１０と電磁石１０３の電源をオンにすることを伝える信号を発信する。電源スイッチ回路１１３は送風機１１０に電源３１０からの電力を通電して送風機１１０が回転を開始し、電磁石１０３に電源３１０からの電力を通電する（Ｓ１０２）。
【００４４】
ステップＳ１０２に続き、制御部２００は、送風機取付部ロック１０８に対してロック解除信号を出力する。そして、送風機取付部ロック１０８は、ロックを解除する（Ｓ１０３）。
【００４５】
ステップＳ１０３で、送風機取付部ロック１０８がロックを解除しても、ステップＳ１０２で電磁石１０３が通電している。そのため、電磁石１０３と磁性体１０５の間に引合う力が働き、この引合う力が、ばね１０２の弾性力より強いので、送風機取付部１０１は転倒しない。
【００４６】
ステップＳ１０４で、制御部２００は回転数センサ１１２の送風機１１０の回転数を検知する（Ｓ１０４）。
【００４７】
制御部２００は、検知した送風機１１０の回転数が、予め決められた停止回転数以下の値かどうかを判断する（Ｓ１０５）。
【００４８】
ここで、予め決められた停止回転数とは、これ以下の値であれば送風機が故障したと判断する回転数である。
【００４９】
ステップＳ１０５で、送風機１１０の回転数が停止回転数以下であると判断されると（Ｓ１０５でＹ）、ステップＳ１０６にすすむ。
【００５０】
ステップＳ１０５で、送風機１１０の回転数が停止回転数より大きいと判断されると（Ｓ１０５でＮ）、ステップＳ１０４に戻る。
【００５１】
ステップＳ１０６では、制御部２００は電源スイッチ回路１１３に対して電源供給停止信号を出力する。そして、電源スイッチ回路１１３は、送風機１１０、および電磁石１０３に対する電源供給を停止する（Ｓ１０６）。
【００５２】
ステップＳ１０６の結果、送風機１１０は停止する。更に、電磁石１０３の通電が停止されたので、電磁石１０３が磁性体１０５を引き付ける力は無くなり、図４に示す様に、ばね１０２の弾性力によって、送風機取付部１０１は転倒する（Ｓ１０７）。
【００５３】
以上が、電源スイッチ３１１がオンに操作された場合の動作である。
【００５４】
次に、電源スイッチ３１１がオフに操作された場合の動作について、図８を参照して説明する。
【００５５】
はじめに、吸排気装置１０００が動作中に、電源スイッチ３１１がオフに操作される（Ｓ２０１）。
【００５６】
続いて、制御部２００は、送風機取付部ロック１０８に対してロックを掛ける信号を発信する。送風機取付部ロック１０８が、ロックを掛ける信号を受信すると、送風機取付部ロック１０８のソレノイド１２４の通電が停止する。その結果、送風機取付部ロック１０８は、ばね１２２の弾性力により図５の状態に摺動してロック状態となる（Ｓ２０２）。
【００５７】
ステップＳ２０２に続いて、制御部２００は電源スイッチ回路１１３に対して電源供給停止信号を出力する。そして、電源スイッチ回路１１３は、送風機１１０、および電磁石１０３に対する電源供給を停止する（Ｓ２０３）。
【００５８】
この様にして、電磁石１０３の磁力が喪失する前に、送風機取付部ロック１０８がロック状態になっているので送風機取付部１０１は転倒しない。
【００５９】
以上が、電源スイッチ３１１がオフに操作された場合の動作である。
【００６０】
前述の様に、関連技術によるプッシュプル方式による吸排気装置の場合、故障等の原因で送風機が停止することで通気性が妨げられると、図１０もしくは図１１の様に装置の熱を外部へ排出することが出来なかった。
【００６１】
しかし、本実施形態の吸排気装置１０００は、排気側の送風機１１０の故障、または排気側の可倒式送風機取付基盤１００に電源を供給する電源３１０が故障して排気側の送風機１１０が停止しても、図１２に示す様に排気側の送風機取付部１０１が転倒する。そして、排気経路が確保される。
【００６２】
また、本実施形態の吸排気装置１０００は、吸気側の送風機１１０の故障、または排気側の可倒式送風機取付基盤１００に電源を供給する電源３１０が故障して排気側の送風機１１０が停止しても、図１３に示す様に吸気側の送風機取付部１０１が転倒する。そして、吸気経路が確保される。
【００６３】
この様に、本実施形態の吸排気装置１０００は、送風機１１０または電源３１０の故障時にも吸排気経路が確保されるため、一定量の吸排気が維持される。
【００６４】
また、本実施形態の吸排気装置１０００は、送風機の稼働に冗長性を持たせるために、送風機の数を増加させる必要が無い。
【００６５】
以上説明した様に、本発明の吸排気装置は、少ない送風機の数で、送風機の故障時にも可用性を維持することができる。
［第２の実施形態］
［構成の説明］
図１５は、本実施形態の吸排気装置２０００の電気的な構成例である。
【００６６】
本実施形態の吸排気装置２０００は、図１に示される第１の実施形態の吸排気装置１０００の電気的構成と比べて、電磁石１０３が削除され、制御部２００が制御部３００に代わっている点が異なり、その他の電気的構成要素は同じである。
【００６７】
また、本実施形態の構造的な構成は、図２乃至図６に示される第１の実施形態の構造的構成要素の内、電磁石１０３、および磁性体１０５が削除されており、その他の構造的構成要素は同じである。
［動作の説明］
次に、本実施形態の動作について、図１６を参照して説明する。
【００６８】
はじめに、電源スイッチ３１１がオンに操作された場合の動作について、図１６を参照して説明する。
【００６９】
可倒式送風機取付基盤１００に電源が投入されていない状態では、送風機取付部ロック１０８がロック状態であり、送風機取付部１０１は立った状態で固定されている。
【００７０】
はじめに、電源スイッチ３１１がオンに操作される（Ｓ３０１）。
【００７１】
すると、制御部３００は、電源スイッチ回路１１３に送風機１１０の電源をオンにすることを伝える信号を発信する。電源スイッチ回路１１３は送風機１１０に電源３１０からの電力を通電して送風機１１０が回転を開始する（Ｓ３０２）。
【００７２】
ステップＳ３０２に続き、制御部３００は回転数センサ１１２の送風機１１０の回転数を検知する（Ｓ３０３）。
【００７３】
制御部３００は、検知した送風機１１０の回転数が、予め決められた停止回転数以下の値かどうかを判断する（Ｓ３０４）。
【００７４】
ここで、予め決められた停止回転数とは、前述の様に、これ以下の値であれば送風機が故障したと判断する回転数である。
【００７５】
ステップＳ３０４で、送風機１１０の回転数が停止回転数以下であると判断されると（Ｓ３０４でＹ）、ステップＳ３０５にすすむ。
【００７６】
ステップＳ３０４で、送風機１１０の回転数が停止回転数より大きいと判断されると（Ｓ３０４でＮ）、ステップＳ３０３に戻る。
【００７７】
ステップＳ３０５では、制御部３００は、送風機取付部ロック１０８に対してロック解除信号を出力する。そして、送風機取付部ロック１０８は、ロックを解除する。（Ｓ３０５）。すると、ばね１０２の弾性力によって、送風機取付部１０１は転倒する（Ｓ３０６）。
【００７８】
続いて、制御部３００は電源スイッチ回路１１３に対して電源供給停止信号を出力する。そして、電源スイッチ回路１１３は、送風機１１０に対する電源供給を停止する（Ｓ３０７）。
【００７９】
尚、ステップＳ３０７はステップＳ３０５の前であっても、ステップＳ３０５と同時であっても良い。
【００８０】
以上が、電源スイッチ３１１がオンに操作された場合の動作である。
【００８１】
次に、電源スイッチ３１１がオフに操作された場合の動作については、図８と同じであるため説明を省略する。
【００８２】
以上説明した様に、本発明の吸排気装置２０００は第１の実施形態の吸排気装置１０００と比べて、電磁石１０３および磁性体１０５が削除されている。しかし、第１の実施形態の吸排気装置と同様に、少ない送風機の数で、送風機の故障時にも可用性を維持することができる。
［第３の実施形態］
図１７に第３の実施形態の構成を示す。
【００８３】
本実施形態の吸排気ユニット５００は、吸気口と排気口のそれぞれに少なくとも１つの吸排気ユニット５００を備える吸排気装置に用いられる。そして、吸排気ユニット５００は、転倒を指示する信号に応じて取付枠を転倒させる転倒手段５０１を有する送風機５０２と、前記送風機５０２の異常を検知すると異常を通知する信号を発信する異常検知手段５０３を備える。更に吸排気ユニット５００は、前記異常を通知する信号を受信すると前記転倒手段５０１に転倒を指示する信号を発信する制御部５０４とを備える。
【００８４】
以上説明した様に、本発明の吸排気ユニット５００は、少ない送風機の数で、送風機の故障時にも可用性を維持することができる。
【００８５】
以上、本発明の好適な実施形態を説明したが、上記実施形態に限定されるものではなく、次のように拡張または変形できる。
【００８６】
本発明の吸排気ユニット、および吸排気装置は、電子機器の吸排気以外にも、建物の部屋の吸排気に用いることも可能である。
【００８７】
また、図１に示した第１の実施形態の構成例では、１つの可倒式送風機取付基盤１００に対して１つの制御部２００が接続されていた。しかし、吸気側の可倒式送風機取付基盤１００と排気側の可倒式送風機取付基盤１００の制御部を１つの制御部に統合して、１つの制御部で吸気側と排気側の可倒式送風機取付基盤１００の制御を行っても良い。同様に、吸気側、排気側それぞれに複数の可倒式送風機取付基盤１００を有する場合、すべての可倒式送風機取付基盤１００の制御部を１つ若しくは複数の制御部に統合しても良い。
【００８８】
或いは、第１の実施形態の吸排気装置１０００の回転数センサ１１２に代えて、吸排気装置１０００の異常を検知すると制御部２００に異常通知信号を発信する、異常検知手段としても良い。そして、制御部２００が異常通知信号を受信すると、制御部２００は電源スイッチ回路１１３をオフにする。この異常検知手段は、次の様なものが考えられる。
【００８９】
即ち、異常検知手段は、送風機１１０の回転数を監視する回転数センサであり、送風機１１０の回転数が一定値より低下すると、異常と検知するものであっても良い。ここで、第１の実施形態の吸排気装置１０００の回転数センサ１１２との違いは、送風機１１０の回転数を制御部２００に通知し、異常を検知するのは制御部２００であった点が異なる。
【００９０】
また、異常検知手段は、送風機１１０の電源に供給される電力の電圧または電流を監視するものであり、電圧または電流が一定値より低下すると、異常と検知するものであっても良い。
【００９１】
更に、異常検知手段は、送風機１１０に取り付けられた温度センサであり、送風機１１０の温度が一定値以上になると、異常と検知するものであっても良い。
【００９２】
或いは、異常検知手段は、吸排気装置１０００内部に配置された温度センサであり、吸排気装置１０００の内部温度が一定値以上になると、異常と検知するものであっても良い。
【００９３】
また、異常検知手段は、送風機１１０に直接、若しくは送風機１１０の近傍に取り付けられた振動センサであり、振動が一定値以上になると、異常と検知するものであっても良い。
【００９４】
更に、第１の実施形態では、送風機取付部ロック１０８は、ソレノイド１２４の動作によってロックとロックの解除を行っていた。しかし、送風機取付部ロック１０８のロックおよび解除は必ずしもソレノイドの動作による必要はない。例えば、モーターの動作によってロック機構が摺動するなどで、ロックとロック解除を行っても良い。
【００９５】
或いは、第１の実施形態では、ばね１０２と送風機取付部ロック１０８、および電磁石１０３の組合せによって送風機取付部１０１の転倒を制御していたが、送風機取付部１０１がモーター駆動によって転倒する様にしてもよい。即ち送風機取付部１０１が転倒する時はモーターが回転し、モーターの回転の力によって送風機取付部１０１が転倒するようにしてもよい。
【００９６】
上記の実施形態の一部又は全部は、以下の付記のようにも記載されうるが、以下には限られない。
【００９７】
（付記１）
吸気口と排気口のそれぞれに少なくとも１つの吸排気ユニットを備える吸排気装置に用いられる吸排気ユニットは、
転倒を指示する信号に応じて取付枠を転倒させる転倒手段を有する送風機と、
前記送風機の異常を検知すると異常を通知する信号を発信する異常検知手段と、
前記異常を通知する信号を受信すると前記転倒手段に転倒を指示する信号を発信する制御部とを備えることを特徴とする吸排気ユニット。
【００９８】
（付記２）
前記異常検知手段は、前記送風機に供給される電力の電圧または電流を監視するものであり、前記電圧または前記電流が一定値より低下すると異常と検知する異常検知手段であることを特徴とする付記１に記載の吸排気ユニット。
【００９９】
（付記３）
前記異常検知手段は、前記送風機に取り付けられた温度センサであり、前記送風機の温度が一定値以上になると、異常と検知する異常検知手段であることを特徴とする付記１に記載の吸排気ユニット。
【０１００】
（付記４）
前記異常検知手段は、前記吸排気装置内部に配置された温度センサであり、前記吸排気装置の内部温度が一定値以上になると、異常と検知する異常検知手段であることを特徴とする付記１に記載の吸排気ユニット。
【０１０１】
（付記５）
前記異常検知手段は、前記送風機に直接、若しくは前記送風機の近傍に取り付けられた振動センサであり、前記振動センサが監視する振動が一定値以上になると、異常と検知する異常検知手段であることを特徴とする付記１に記載の吸排気ユニット。
【０１０２】
（付記６）
付記２乃至付記５に記載される２つ以上の異常検知手段を備えることを特徴とする付記１に記載の吸排気ユニット。
【０１０３】
（付記７）
前記転倒手段は、前記送風機に取付けられた転倒用のばねと、前記ばねの力に反して前記転倒を阻止するロックからなり、
前記ロックは前記転倒を指示する前記信号を受信するとロックが解除されることを特徴とする付記１乃至付記６に記載の吸排気ユニット。
【０１０４】
（付記８）
前記ロックは電磁石と磁性体とを備え、
前記転倒を指示する前記信号を受信しないと電磁石が通電して前記ばねの力より強い力で磁性体と引付けあい、
前記転倒を指示する前記信号を受信すると前記電磁石の通電を停止することを特徴とする付記７に記載の吸排気ユニット。
【０１０５】
（付記９）
前記ロックはモーターの回転力によってロックが移動し、
前記転倒を指示する前記信号を受信すると前記モーターが通電してロックが移動することでロックが解除されることを特徴とする付記７に記載の吸排気ユニット。
【０１０６】
（付記１０）
前記転倒手段は、モーター駆動であって、
前記モーターの回転力に伴って前記転倒が行われることを特徴とする付記１乃至付記６に記載の吸排気ユニット。
【０１０７】
（付記１１）
吸気口と排気口のそれぞれに少なくとも１つの吸排気ユニットを備える吸排気装置は、
転倒を指示する信号に応じて取付枠を転倒させる転倒手段を有する送風機と、
前記送風機の異常を検知すると異常を通知する信号を発信する異常検知手段と、
前記異常を通知する信号を受信すると前記転倒手段に転倒を指示する信号を発信する制御部とを有する吸排気ユニットを備えることを特徴とする吸排気装置。
【０１０８】
（付記１２）
前記異常検知手段は、前記送風機に供給される電力の電圧または電流を監視するものであり、前記電圧または前記電流が一定値より低下すると異常と検知する異常検知手段であることを特徴とする付記１１に記載の吸排気装置。
【０１０９】
（付記１３）
前記異常検知手段は、前記送風機に取り付けられた温度センサであり、前記送風機の温度が一定値以上になると、異常と検知する異常検知手段であることを特徴とする付記１１に記載の吸排気装置。
【０１１０】
（付記１４）
前記異常検知手段は、前記吸排気装置内部に配置された温度センサであり、前記吸排気装置の内部温度が一定値以上になると、異常と検知する異常検知手段であることを特徴とする付記１１に記載の吸排気装置。
【０１１１】
（付記１５）
前記異常検知手段は、前記送風機に直接、若しくは前記送風機の近傍に取り付けられた振動センサであり、前記振動センサが監視する振動が一定値以上になると、異常と検知する異常検知手段であることを特徴とする付記１１に記載の吸排気装置。
【０１１２】
（付記１６）
付記１２乃至付記１５に記載される２つ以上の異常検知手段を備えることを特徴とする付記１１に記載の吸排気装置。
【０１１３】
（付記１７）
前記転倒手段は、前記送風機に取付けられた転倒用のばねと、前記ばねの力に反して前記転倒を阻止するロックからなり、
前記ロックは前記転倒を指示する前記信号を受信するとロックが解除されることを特徴とする付記１１乃至付記１６に記載の吸排気装置。
【０１１４】
（付記１８）
前記ロックは電磁石と磁性体とを備え、
前記転倒を指示する前記信号を受信しないと電磁石が通電して前記ばねの力より強い力で磁性体と引付けあい、
前記転倒を指示する前記信号を受信すると前記電磁石の通電を停止することを特徴とする付記１７に記載の吸排気装置。
【０１１５】
（付記１９）
前記ロックはモーターの回転力によってロックが移動し、
前記転倒を指示する前記信号を受信すると前記モーターが通電してロックが移動することでロックが解除されることを特徴とする付記１７に記載の吸排気装置。
【０１１６】
（付記２０）
前記転倒手段は、モーター駆動であって、
前記モーターの回転力に伴って前記転倒が行われることを特徴とする付記１１乃至付記１６に記載の吸排気装置。
【０１１７】
（付記２１）
吸気口と排気口のそれぞれに少なくとも１つの吸排気ユニットを備える吸排気装置の制御方法において、
前記吸排気ユニットが有する送風機の異常を検知すると、
前記送風機が取付けられる取付枠の転倒手段に転倒を指示する信号を発信することを特徴とする吸排気装置の制御方法。
【０１１８】
（付記２２）
前記送風機の異常は、前記送風機に供給される電力の電圧または電流が一定値より低下することであることを特徴とする付記２１に記載の吸排気装置の制御方法。
【０１１９】
（付記２３）
前記送風機の異常は、前記送風機の温度が一定値以上になることであることを特徴とする付記２１に記載の吸排気装置の制御方法。
【０１２０】
（付記２４）
前記送風機の異常は、前記吸排気装置の内部温度が一定値以上になることであることを特徴とする付記２１に記載の吸排気装置の制御方法。
【０１２１】
（付記２５）
前記送風機の異常は、前記送風機に直接、若しくは前記送風機の近傍に取り付けられた振動センサが監視する振動が一定値以上になることであることを特徴とする付記２１に記載の吸排気装置の制御方法。
【０１２２】
（付記２６）
前記送風機の異常は、付記２２乃至付記２５に記載される２つ以上の送風機の異常であることを特徴とする付記２１に記載の吸排気装置の制御方法。
【０１２３】
（付記２７）
前記転倒手段は、前記送風機に取付けられた転倒用のばねと、前記ばねの力に反して前記転倒を阻止するロックからなり、前記ロックは前記転倒を指示する前記信号を受信するとロックが解除されることを特徴とする付記２１乃至付記２６に記載の吸排気装置の制御方法。
【０１２４】
（付記２８）
前記ロックは電磁石と磁性体とを備え、前記転倒を指示する前記信号を受信しないと電磁石が通電して前記ばねの力より強い力で磁性体と引付けあい、前記転倒を指示する前記信号を受信すると前記電磁石の通電を停止することを特徴とする付記２７に記載の吸排気装置の制御方法。
【０１２５】
（付記２９）
前記ロックはモーターの回転力によってロックが移動し、前記転倒を指示する前記信号を受信すると前記モーターが通電してロックが移動することでロックが解除されることを特徴とする付記２７に記載の吸排気装置の制御方法。
【０１２６】
（付記３０）
前記転倒手段は、モーター駆動であって、前記モーターの回転力に伴って前記転倒が行われることを特徴とする付記２１乃至付記２６に記載の吸排気装置の制御方法。
【符号の説明】
【０１２７】
１００  可倒式送風機取付基盤
１０１  送風機取付部
１０２  ばね
１０３  電磁石
１０４  電磁石取付フレーム
１０５  磁性体
１０６  ケーブル
１０７  送風機ケーブルコネクタ
１０８  送風機取付部ロック
１０９  ベースプレート
１１０  送風機
１１２  回転数センサ
１１３  電源スイッチ回路
１１４  電圧センサ
１２０  可動鉄芯
１２１  固定鉄芯
１２２  ばね
１２３  コイル
１２４  ソレノイド
２００  制御部
３００  制御部
３１０  電源
３１１  電源スイッチ
４００  外部電源
５００  吸排気ユニット
５０１  転倒手段
５０２  送風機
５０３  異常検知手段
５０４  制御部
１０００  吸排気装置
２０００  吸排気装置
【図１】
2018011002.tif 000003
【図２】
2018011002.tif 000004
【図３】
2018011002.tif 000005
【図４】
2018011002.tif 000006
【図５】
2018011002.tif 000007
【図６】
2018011002.tif 000008
【図７】
2018011002.tif 000009
【図８】
2018011002.tif 000010
【図９】
2018011002.tif 000011
【図１０】
2018011002.tif 000012
【図１１】
2018011002.tif 000013
【図１２】
2018011002.tif 000014
【図１３】
2018011002.tif 000015
【図１４】
2018011002.tif 000016
【図１５】
2018011002.tif 000017
【図１６】
2018011002.tif 000018
【図１７】
2018011002.tif 000019